(57)【要約】【課題】収納箱を持つ際の強度を上げ、耐久性を持たせることで、繰り返し使用しても収納箱の変形を少なくする。【解決手段】筒状の巻回物を収納する、前板１、底板２、後板３、及び脇板４を有する上面が開口した直方体状の収納部と、収納部の上面開口を開閉する蓋板及び収納部の前板２を覆う方向に延出した掩蓋片６からなる蓋部と、を有する筒状の巻回物の収納箱であって、掩蓋片６と蓋板５にまたがった折り線Ｅ、蓋板５と後板３にまたがった折り線Ｄ、後板３と底板２にまたがった折り線Ｃ、底板２と前板１にまたがった折り線Ｂの一部を含む領域に補強層Ｓを設ける。【選択図】図２
2017007679.tif 000002
【特許請求の範囲】
【請求項１】
筒状の巻回物を収納する、前板、底板、後板、及び脇板を有する上面が開口した直方体状の収納部と、前記収納部の上面開口を開閉する蓋板及び前記収納部の前板を覆う方向に延出した掩蓋片からなる蓋部と、を有する筒状の巻回物の収納箱であって、
前記掩蓋片と前記蓋板にまたがった折り線、前記蓋板と前記後板にまたがった折り線、前記後板と前記底板にまたがった折り線、前記底板と前記前板にまたがった折り線の一部を含む領域に補強層を設けた筒状の巻回物の収納箱。
【請求項２】
前記補強層が、前記収納箱の長手方向の中央部を中心とする２０〜１００％の領域に設けられている、請求項１に記載の筒状の巻回物の収納箱。
【請求項３】
前記補強層が、前記折り線をまたぐ位置であって、前記収納箱の短手方向幅の１０〜９０％の領域に設けられている、請求項１又は２に記載の筒状の巻回物の収納箱。
【発明の詳細な説明】
【技術分野】
【０００１】
本発明は、特に食品包装用のラップフィルム、アルミホイル、クッキングシート等（以下、筒状の巻回物と称す）を巻回した筒状の巻回物の収納箱に関する。
【背景技術】
【０００２】
ラップフィルムは、通常、紙製の芯体に巻回されて巻筒体を構成し、当該巻筒体が、紙製の直方体のラップフィルム収納箱に収納されている。ラップフィルムの切断手段としては金属、紙、樹脂製の鋸刃が知られており、上記鋸刃は、ラップフィルム収納箱の掩蓋片の先端部に配置されるのが一般的である。ラップフィルムは、巻筒体から所望する長さを引き出し、鋸刃により切断する。しかしながら、繰り返し使用されていると、ラップフィルム収納箱を握っている部分の変形が起こり、切断時にしっかりと収納箱を押さえることができないことがある。この場合、うまくラップフィルムがカットできず、切断後に引出されたラップフィルムがラップフィルム収納箱内に巻き戻ったり、巻き戻ったラップフィルムを再び引き出す際にフィルムの裂けが起こるなど、使い勝手を大きく損なうこととなる。そこで、特許文献１ではラップフィルム収納箱を持つ際に手指が滑るのを防止するため、不滑層やエンボスを設けることが提案されている。
【先行技術文献】
【特許文献】
【０００３】
【特許文献１】特許第５６９０２０３号
【発明の概要】
【発明が解決しようとする課題】
【０００４】
しかしながら、特許文献１に記載のラップフィルム収納箱は、手が滑らないために不滑層が設けられているのみで、強度、耐久性の点で十分でないことがある。巻回体を収容する収納箱は、一般に紙製であり、光沢感を出すために、印刷の最表層に光沢性を持たせたコーティング層が形成されることが多い。このコーティング層だけでは収納箱の強度、耐久性を持たせるのには不十分である。
【０００５】
本発明はかかる点に鑑みてなされたものであり、ラップフィルム等の筒状の巻回物を収容する収納箱を持つ際の強度を上げ、耐久性を持たせることで、繰り返し使用しても収納箱の変形が少ない筒状の巻回物の収納箱を提供することを目的とする。
【課題を解決するための手段】
【０００６】
本発明者は、鋭意研究を重ねた結果、収納箱の各折り線上、あるいは該折り線の少なくとも一部を含む領域に補強層を塗布することで、収納箱の強度を向上させ、耐久性を向上させることができることを見出し、本発明をなすに至った。すなわち、本発明は下記（１）〜（３）を提供する。
（１）筒状の巻回物を収納する、前板、底板、後板、及び脇板を有する上面が開口した直方体状の収納部と、前記収納部の上面開口を開閉する蓋板及び前記収納部の前板を覆う方向に延出した掩蓋片からなる蓋部と、を有する筒状の巻回物の収納箱であって、前記掩蓋片と前記蓋板にまたがった折り線、前記蓋板と前記後板にまたがった折り線、前記後板と前記底板にまたがった折り線、前記底板と前記前板にまたがった折り線の一部を含む領域に補強層を設けた筒状の巻回物の収納箱。
（２）前記補強層が、前記収納箱の長手方向の中央部を中心とする２０〜１００％の領域に設けられている、（１）に記載の筒状の巻回物の収納箱。
（３）前記補強層が、前記折り線をまたぐ位置であって、前記収納箱の短手方向幅の１０〜９０％の領域に設けられている、（１）又は（２）に記載の筒状の巻回物の収納箱。
【発明の効果】
【０００７】
本発明によれば、収納箱を持つ際の強度を上げ、耐久性を持たせることで、繰り返し使用しても収納箱の変形が少ない筒状の巻回物の収納箱を提供することができる。
【図面の簡単な説明】
【０００８】
【図１】ラップフィルム収納箱の概略を示す斜視図である。
【図２】ラップフィルム収納箱の概略を示す展開図である。
【図３】補強層の形態の一例を示す蓋体の展開図である。
【図４】補強層の他の例を示す蓋体の展開図である。
【図５】補強層の他の例を示す収納部の展開図である。
【発明を実施するための形態】
【０００９】
本発明について、以下具体的に説明する。なお、以下の実施の形態は、本発明を説明するための例示であり、本発明はその実施の形態のみに限定されるものではない。なお、同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１０】
図１は、ラップフィルム収納箱の概略を示す斜視図であり、図２は図１のラップフィルム収納箱の表面側の展開図である。
【００１１】
図１に示すラップフィルム収納箱１００は、広く市販され汎用されている四角柱状形のものの一例である。図１において、ラップフィルム収納箱１００の展開されたものは、ガイド片１２を有する縁折片１０、補助脇板１３を有する前板１、脇板４を有する底板２、補助脇板１４を有する後板３、掩蓋片脇板９を有する蓋板５、補助脇板１５を有する掩蓋片６を順次連接してなり、且つ掩蓋片６の先端部には切り取り線７を介して開封片８が、そして該先端部裏面には開封片８を剥がすことにより露出する鋸刃Ｋが設けられて構成されている。
【００１２】
縁折片１０と前板１の間には折り線Ａが設けられている。同様に、前板１と底板２の間には折り線Ｂが、底板２と後板３の間には折り線Ｃが、後板３と蓋板５の間には折り線Ｄが、蓋板５と掩蓋片６の間には折り線Ｅがそれぞれ設けられている。
【００１３】
ラップフィルム収納箱１００は、前板１、底板２、後板３、及び脇板４とで形成された上部が開口した直方体状の収納部Ｍと、収納部Ｍの後板３側縁から収納部開口を覆う方向に連接した蓋板５、その蓋板５の側縁から前板１を覆う方向に延した掩蓋片６、及び掩蓋片脇板９で形成された蓋体Ｎを有し、内部に筒状の巻回ラップフィルムＲを収納する箱本体部を備えている。箱本体部には、収納部Ｍに収納した巻回ラップフィルムＲから引き出されたラップフィルムＦを切断する鋸刃Ｋが設けられている。鋸刃Ｋは、例えば長尺の長方形であり、掩蓋片６の先端に箱本体部の長手方向に沿って設けられている。前板１には、ラップフィルムＦの端部を仮留めする仮留め部材Ｑが設けられている。
【００１４】
なお、ラップフィルム収納箱１００を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００１５】
開封片８は、箱本体部の前面に位置し、ラップフィルム収納箱１００の長手方向に沿って帯状に形成されている。開封片８は、掩蓋片６の先端縁に切り取り線７を介して接続されている。開封片８の裏面側は、前板１の複数の接着部に接着している。この開封片８によって蓋体Ｎが封止されており、切り取り線７に沿って切り取ることによって蓋体Ｎを開封することができる。
【００１６】
ラップフィルムＦを使用する際には、箱本体部に収納された巻回ラップフィルムＲからラップフィルムＦを必要量引き出し、掩蓋片６の鋸刃ＫでラップフィルムＦを切断する。また、ラップフィルムＦの端部が仮留め部材Ｑに仮留めされている時には、当該仮留め部材ＱのラップフィルムＦの端部をつまんで巻回ラップフィルムＲから引き出し、鋸刃Ｋで切断する。
【００１７】
なお、このラップフィルムＦの切断刃の材質は、金属、プラスチック、バルカナイズドファイバー等であり、切断部の形状は、直線状、Ｖ状、アーチ状等従来公知のものであれば特に制限はない。また切断部が配備されている部位は、掩蓋片６の先端縁部、底板２と前板１の間の稜線部いずれでも構わない。
【００１８】
図３は、補強層Ｓの形態の一例を示す、蓋体Ｎの展開図である。
【００１９】
補強層Ｓは、折り線Ｅの少なくとも一部を含む、蓋板５と掩蓋片６にまたがった領域に設けられている。補強層Ｓの一例としては、例えば、当該領域の表面に塗布されたUV硬化ニスが挙げられる。補強層Ｓの成分として、アクリル系成分を含むものを用いてもよい。このような成分が塗布され、乾くことによって形成される補強層Ｓは、ラップフィルム収納箱１００の強度と耐久性を向上させ、繰り返し使用したときの当該ラップフィルム収納箱１００の変形を抑える。また、ラップフィルム収納箱１００を濡れた手で持つ場面がよくあるが、上記成分等が塗布されてなる補強層Ｓは耐水性を向上させるから、この点でもラップフィルム収納箱１００の強度と耐久性が向上する。
【００２０】
補強層Ｓを塗布する領域は、ラップフィルム収納箱１００の長手方向LWにおいては、該長手方向LWの中央部を中心とする２０〜１００％の領域NW、および、ラップフィルム収納箱１００の各折り線（例えば折り線Ｅ）から、ラップフィルム収納箱１００の短尺の長さ（つまり短手方向の幅）LDの１０〜９０％の領域NDに囲まれた範囲であることが好ましい。なお、領域NDの中心を折り線（例えば折り線Ｅ）が通っている場合、当該折り線の片側における領域NDの幅方向（ないし周方向）の好ましい範囲は５〜４５％ということになる。また、領域NWは、より好ましくは、長手方向LWの中央部を中心とする３０〜７０％の領域であり、領域NDは、より好ましくは、収納箱の短尺の長さLDの１０〜５０％の領域である。
【００２１】
これらの条件を満たす領域は、ラップフィルム収納箱１００を持ってラップフィルムＦを引き出し、鋸刃Ｋにより切断するという一連の動作中に手指が触れやすい、あるいは押さえ付ける力が作用しやすい領域である。もちろん、ラップフィルム収納箱１００の表面の全域に補強層Ｓを設けることもできるが、塗布量を抑えつつ、手指が触れやすい領域あるいは力が加わりやすい領域の強度と耐久性を効果的、効率的に向上させるという観点からすれば、上記条件を満たす領域を優先することが好適である。
【００２２】
補強層Ｓは、上述した矩形状のものに限られることはなく、この他、例えば、図４に示すように、楕円形を描いていてもよい。要は、ラップフィルム収納箱１００を持つ際の強度を上げ、耐久性を持たせるものであれば、補強層Ｓの細かな形状は特に限定されない。また、楕円をその長軸が折り線（例えば折り線Ｅ）上に一致するように配置した場合において、補強層Ｓを塗布する領域（領域NWおよび領域ND）の好適な範囲は上述したものと同じである。
【００２３】
また、図３、図４においては、蓋体Ｎに補強層Ｓを設けた例を示したが、これに代え、あるいはこれに加えて、図５に示すように、収納部Ｍの折り線（例えば折り線Ｃ）を含む領域に補強層Ｓを塗布して形成してもよい。
【００２４】
なお、上述した実施形態では、本発明をラップフィルム収納箱に適用した例を説明したがこれは好適な一例にすぎない。本発明は、この他、アルミホイル、クッキングシートなどといった各種筒状の巻回物の収納箱に適用することが可能である。
【実施例１】
【００２５】
以下、本発明を実施例に基づいて説明する。
［評価方法］
【００２６】
ラップフィルム収納箱１００の各折り線の強度の測定法を以下に記す。
【００２７】
測定するラップフィルム収納箱１００の折り線を上にし、上方より直径１１ｍｍの円形の面積で１５ｍｍ押し込む時の、収納箱が変形した強度を測定した（小数点第２位以下は四捨五入）。
［実施例１〜４］
【００２８】
本実施例１〜４は、図３で示したように補強層Ｓを折り線に塗布し、領域NWは、LWの中央部を中心とする２０〜１００％の領域であり、領域NDは、収納箱の短尺の長さLDの１０〜９０％の領域である。
［参考例１］
【００２９】
本参考例１は、補強層を塗布しない場合である。
【表１】
2017007679.tif 000003
［結果］
【００３０】
実施例１〜４は、前記掩蓋片と前記前板にまたがった折り線の強度が補強層Ｓを塗布しない参考例１よりも高い結果となった。
【００３１】
以上の結果より、本発明の収納箱の補強層Ｓを塗布した折り線の強度は向上しており、ラップフィルム収納箱の耐久性を向上させる効果がある。
【産業上の利用可能性】
【００３２】
本発明のラップフィルム収納箱は、各種ラップフィルムを巻回した巻物の収納箱として、特に食品包装用のラップフィルム収納箱として好適に用いられる。
【符号の説明】
【００３３】
１：前板
２：底板
３：後板
４：脇板
５：蓋板
６：掩蓋片
７：切り取り線
８：開封片
９：掩蓋片脇板
１０：縁折片
１２：ガイド片
１３：補助脇板
１４：補助脇板
１５：補助脇板
１００：ラップフィルム収納箱（筒状の巻回物の収納箱）
Ａ：折り線
Ｂ：折り線
Ｃ：折り線
Ｄ：折り線
Ｅ：折り線
Ｆ：ラップフィルム
Ｋ：鋸刃
Ｍ：収納部
Ｎ：蓋体
Ｑ：仮留め部材
Ｒ：巻回ラップフィルム
Ｓ：補強層
【図１】
2017007679.tif 000004
【図２】
2017007679.tif 000005
【図３】
2017007679.tif 000006
【図４】
2017007679.tif 000007
【図５】
2017007679.tif 000008